(57)【要約】【課題】ソケット装置への装着時に、受金へ過度の捩込みによる負荷が加わらずソケット装置の受金に破損を来す虞がない、安全性の高い電球形蛍光ランプ装置およびこのランプ装置を用いた照明器具を提供することを目的とする。【解決手段】屈曲したガラス管バルブ内に電極が設けられた蛍光ランプと、この蛍光ランプを支持したホルダと、上記蛍光ランプに接続した点灯回路部品と、基端側に円筒状部を、他端側にホルダおよび点灯回路部品を収容するドーム状部を有するカバーと、このカバーの円筒状部に係止された口金と、上記蛍光ランプを覆うグローブとを備え、上記カバーの内面側とホルダまたはグローブの外面側とが同一円周上に連続または断続して形成した凹凸部により係合されているとともに円周方向へ所定以上の回転トルクが加わることにより上記カバーとホルダまたはグローブとが相反する方向に所定角度回動する電球形蛍光ランプ装置およびこのランプ装置を用いた照明器具である。【選択図】  図１
2005019307.tif 000002
【特許請求の範囲】
【請求項１】
屈曲した放電路が形成されたガラス管バルブ内に電極が設けられた蛍光ランプと；
この蛍光ランプの端部側を支持したホルダと；
上記蛍光ランプに電気的に接続した点灯回路部品と；
基端側に円筒状部を、他端側に上記ホルダおよび点灯回路部品を収容するドーム状部を有する一重または二重構造のカバーと；
このカバーの円筒状部に係止された口金と；
上記蛍光ランプのホルダから延出した部分を覆うグローブとを具備し、
上記カバーの内面とホルダまたはグローブの外面、あるいは二重カバーの内外カバーの重合面が、同一円周上に連続または断続して形成した凹凸部により係合されているとともに円周方向へ所定以上の回転トルクが加わることにより上記カバーとホルダまたはグローブあるいは内外カバーが相反する方向に所定角度回動することを特徴とする電球形蛍光ランプ装置。
【請求項２】
上記回転トルクがＥ１７口金（Ｅ１７口金を含む）よりも小形の口金を備えたものでは０．６Ｎｍ以上、Ｅ２６口金を備えたものでは２．０Ｎｍ以上であることを特徴とする請求項１に記載の電球形蛍光ランプ装置。
【請求項３】
上記連続または断続して形成した凹凸部の凹部に、部分的に深浅部が形成してあることを特徴とする請求項１に記載の電球形蛍光ランプ装置。
【請求項４】
器具本体と；
この器具本体に設けられたソケット装置と；
このソケット装置に装着された請求項１ないし３のいずれか一記載の電球形蛍光ランプ装置と；
を具備していることを特徴とする照明器具。
【発明の詳細な説明】
【０００１】
【発明の属する技術分野】本発明は、屈曲したガラス管バルブを有する蛍光ランプおよび点灯回路部品を一体的に備えた電球形蛍光ランプ装置およびこの蛍光ランプ装置を用いた照明器具に関する。
【０００２】
【従来の技術】白熱電球に比べ明るく長寿命で、発熱量も少ない蛍光ランプは高効率・省エネルギーの光源としてよく知られているが、点灯するためには安定器などの点灯回路装置を必要としている。
【０００３】
そこで、この蛍光ランプの一種として、蛍光ランプとともに点灯回路部品を組込んでＥ型（捩込み型）口金を取付け、この口金部をソケット装置の受金にそのまま装着することで白熱電球と互換性のある電球形蛍光ランプ装置が省エネルギーやデザインの多様化がはかれることから多用されている。
【０００４】
この電球形蛍光ランプ装置を構成する蛍光ランプは、両端に電極を封装したガラス管バルブを略Ｕ字形に屈曲したり、この略Ｕ字形バルブをさらにもう一度略Ｕ字形に曲成させたいわゆる鞍形状であったりあるいはこの略Ｕ字形バルブや直管形のガラス管バルブを複数本、連結管を介し接続して小形化されている。
【０００５】
そして、この蛍光ランプおよび点灯回路部品はホルダに取付けられ、合成樹脂材料で成形したカバー内に収容されるとともに、蛍光ランプの大部分は透光性のガラスや合成樹脂材料で成形した上記カバーの開口部に取着されたグローブで覆われている。
【０００６】
また、上記カバーの非グローブ側の円筒状部の外周にはＥ型（捩込み型）口金が取付けられている。この円筒状部への口金の取付けは、円筒状部の外周に形成した螺旋溝に捩込むことにより装着したり、円筒状部の外周に嵌挿したりし、口金の外周面から数箇所でポンチング（押圧）により固定したりあるいは円筒状部外面と口金内面との間に接着剤を介在させて接合し電球形蛍光ランプ装置を構成している。
【０００７】
そして、上記電球形蛍光ランプ装置は、口金部をＥ型（捩込み型）口金をソケット装置に捩込むことによって装着され、電気的接続と機械的支持がなされる。
【０００８】
【発明が解決しようとする課題】
しかし、上記のような口金をソケット装置に捩込み装着させる場合、電気的接続と機械的支持を確実に行おうとする心理から、一般的には把持したランプ（グローブ）の口金をソケット装置の奥深くまで強く捩込む傾向にある。
【０００９】
そして、この捩込みが強いと口金の先端部は受金の最奥部に当接した状態となり、さらに捩込みが続くと受金に捩じる方向への応力が加わりソケット装置の本体内から受金が外れるなど受金の破損を招くなどの虞があった。
【００１０】
この受金の破損は人体への感電、配線や他の導電部品の短絡などの電気的事故およびランプの不点が続くなどの不具合がある。
【００１１】
特に、近時は、電球形蛍光ランプ装置の小形コンパクト化などがはかられ、用いられる口金もＥ２６口金からベビー電球や小形クリプトン電球などが対応するＥ１７口金などもあり、これらはグローブも最大外径が４０〜４５ｍｍと小さいのでソケット装置への装着時に強く捩込むので受金の破損を招き易いということがある。
【００１２】
本発明は、電球形蛍光ランプ装置をソケット装置への装着時に、受金へ過度の捩込みによる負荷が加わらずソケット装置の受金に破損を来す虞がない、安全性の高い電球形蛍光ランプ装置およびこのランプ装置を用いた照明器具を提供することを目的とする。
【００１３】
【課題を解決するための手段】
本発明の請求項１に記載の電球形蛍光ランプ装置は、屈曲した放電路が形成されたガラス管バルブ内に電極が設けられた蛍光ランプと、この蛍光ランプの端部側を支持したホルダと、上記蛍光ランプに電気的に接続した点灯回路部品と、基端側に円筒状部を、他端側に上記ホルダおよび点灯回路部品を収容するドーム状部を有する一重または二重構造のカバーと、このカバーの円筒状部に係止された口金と、上記蛍光ランプのホルダから延出した部分を覆うグローブとを具備し、
上記カバーの内面とホルダまたはグローブの外面、あるいは二重構造カバーの内外カバーの重合面が同一円周上に連続または断続して形成した凹凸部により係合されているとともに円周方向へ所定以上の回転トルクが加わることにより上記カバーとホルダまたはグローブあるいは内外カバーが相反する方向に所定角度回動することを特徴としている。
【００１４】
Ｅ（捩込み）型の口金を有するカバーの内面側とホルダまたはグローブの外面側との周面に円周状に形成した凹凸部によって両者を係合するとともに、円周方向には所定以上の回転トルクが加わることにより通過できる突起などを形成した電球形の蛍光ランプであって、このランプをソケット装置の受金への装置時に、受金に過度のトルクを与えず把持したグローブ側が空転（回動）して、受金を損傷することを防止できる。
【００１５】
上記カバーの内面側とホルダまたはグローブの外面側との周面あるいは二重構造カバーの内外カバーの重合面に形成する凹部および凸部は相対するものであって、特定されるものではない。
【００１６】
また、凹凸部はカバーとホルダまたはグローブあるいは内外カバーの重合部の分離防止用と回動用とがそれぞれ専用の二条であっても一条の共用のものであっても差支えない。また、凹凸部は同数でなく、一般的には凸部側の数が少なく、たとえば凸部が９０度間隔（４か所）であれば凹部は４５度間隔（８か所）などとすればよく、その数は所望する許容トルクに応じ決めればよい。
【００１７】
また、凹凸部の形状は、移動方向への侵入が容易で、両者を引き離す反対方向への移動が阻止できる逆止構造となっている。
【００１８】
さらに、本発明は過度のトルクが加わった場合に、警戒音など音で知らせることもできる。
【００１９】
なお、上記過度のトルクが加わった場合のグローブ側の空転（回動）角度は、点灯回路部品などと口金とを接続する配線などとの短絡を考慮すると４５度以内、また、グローブとカバーとが直接係合している場合は９０度以内が好ましい。
【００２０】
なお、本発明ならびに以下の各発明において、特に指定しない限り用語の定義および技術的意味は次による。
【００２１】
本発明が適用できる蛍光ランプのバルブは、直管形のガラス管や略Ｕ字形をしたガラス管を同一円周上に接続して配設し、屈曲した１本の放電路が形成されたものである。
【００２２】
このガラス管は、ソーダライムガラスや鉛ガラスなどからなる外径が１０〜２０ｍｍ程度、肉厚が０．８〜１．２ｍｍ程度のものが用いられる。
【００２３】
また、放電路終端のガラス管バルブの端部に形成される封止部は、電極が設けられたフレアステムやボタンステムなどのステムを用いた封止のほか圧潰封止など封止の形態は特に限定されない。
【００２４】
電極はフィラメントコイルなどの熱陰極に限らず、冷陰極であってもよく、バルブを形成する中間部のガラス管に電極を設けることも差支えない。
【００２５】
バルブ内に封入される放電媒体は、水銀あるいはアルゴン、キセノン、クリプトンやネオンなどの希ガスである。水銀を封入する場合は、液状水銀、水銀とインジウム、スズ、ビスマスや鉛などを成分とするアマルガム合金、水銀と亜鉛やチタンなどとの水銀放出合金あるいはセラミックスやガラスなどで形成した多孔質状の基体中に水銀を含浸させた水銀ペレットなどであってもよい。また、水銀を封入せず希ガス発光によるランプであってもよい。
【００２６】
バルブの内面に形成される蛍光体膜は、３波長や５波長発光形などの希土類蛍光体や白色発光のハロリン酸塩蛍光体などを用いることができる。また、ガラス管内面と蛍光体膜との間にアルミナなどの保護膜を形成することは構わない。
【００２７】
また、蛍光ランプを支持するホルダは、ポリブチレンテレフタレート（ＰＢＴ）などの電気絶縁性の耐熱合成樹脂材料で成形され、ランプ以外にランプの点灯回路部品やグローブを一体的に支持することは構わない。
【００２８】
また、カバーはポリブチレンテレフタレート（ＰＢＴ）などの電気絶縁性の耐熱合成樹脂材料でドーム状部分と口金が嵌挿される円筒状部を有し、ホルダや点灯回路部品などを覆うドーム状部の形状は問はない。上記円筒状部の外周形状はＥ（捩込み）型口金が螺合される螺旋溝が形成してあっても平滑面であってもよい。
【００２９】
また、グローブはガラスまたは耐熱性合成樹脂材料から成形された、Ａ型、Ｂ型、Ｃ型、Ｇ型、Ｐ型、Ｓ型、Ｔ型などやこれらの複合型の一端側が閉塞形状したものあるいは両端が開放されたものを用いることができ、他端側はホルダまたはカバーに接合されている。
【００３０】
このグローブは透光性をなし、透明であっても光拡散をなすよう材料に光拡散材が混入されていてもあるいはその表面に被膜や蝕刻などによる光拡散処理がなされていてもよく、光拡散処理したグローブを取付けて点灯すれば、眩しさの少ない柔らかい雰囲気の照明が得られる。
【００３１】
なお、本発明でいうグローブとは、上記光拡散作用を奏するグローブ、発光色を変えるフィルター機能を有するグローブやガラス管バルブの破損を防止するための無色透明な保護グローブなどを含み、ガラス管バルブ全体を完全に覆わないものであってもよい。
【００３２】
また、口金はＥ１４〜Ｅ２６などのＥ（捩込み）型の口金を用いることができ、ランプの品種やグローブの大きさにより適宜使い分けられる。
【００３３】
さらに、ランプの点灯は、インバータを用いた高周波点灯方式や安定器を用いた点灯方式などを組込むことができる。
【００３４】
本発明の請求項２に記載の電球形蛍光ランプ装置は、上記回転トルクがＥ１７口金（Ｅ１７口金を含む）よりも小形の口金を備えたものでは０．６Ｎｍ以上、Ｅ２６口金を備えたものでは２．０Ｎｍ以上であることを特徴としている。
【００３５】
本発明による電球形蛍光ランプ装置のランプ装着時の捩込みトルクは、実験によればＥ１４口金では１．０Ｎｍ（ニュートンメータ）以上、Ｅ１７口金では０．６Ｎｍ以上、Ｅ２６口金では２．０Ｎｍ以上のトルクが加わった場合に凹部と凸部との係合が外れ、ホルダが回動して隣接する凹部に上記凸部をの係合がはかれ、口金部の捩込みは止まり、受金が破損することを防止して電気的な安全をはかることができた。
【００３６】
なお、上記捩込みトルク値は、日本工業規格  器具  ＪＩＳ  Ｃ  ８１０５−１  ２０００（照明器具通例の４．４．４．ｂ  ）の規定を満足するものである。
【００３７】
また、本発明における捩込みトルクの測定方法は、Ｅ型口金を設けたランプの口金をソケット装置に固定し、トルクメータ（株式会社  東日  型式１８０ＥＯＴ）を用い行った。
【００３８】
本発明の請求項３に記載の電球形蛍光ランプ装置は、上記連続または断続して形成した凹凸部の凹部に、部分的に深浅部が形成してあることを特徴としている。
【００３９】
円周方向に形成した凹部は、凸部と係合する部位は深く隣接する凹部間は浅く形成し、所定以上の回転トルクが加わったときに凸部がこのガイドをなす浅い部分を通過して隣接する深い凹部に移動させることができる。
【００４０】
本発明の請求項４に記載の照明器具は、器具本体と、この器具本体に設けられたソケット装置と、このソケット装置に装着された請求項１ないし３のいずれか一記載の電球形蛍光ランプ装置とを具備していることを特徴としている。
【００４１】
請求項１ないし３のいずれか一に記載の作用を奏する蛍光ランプ装置を備えているので、ランプの口金部をソケット装置の受金に装着するに際し、過度のトルクが加わっても受金が破損することを防止できる。
【００４２】
【発明の実施の形態】以下、本発明の実施の形態を図面を参照して説明する。図１は電球形蛍光ランプ装置の一部断面正面図、図２（ａ）は図１におけるホルダとカバーとの係合部を説明するための要部の説明図、図３（ａ）は図１におけるホルダとカバーとの係合要部を縦断拡大して示す端面図である。
【００４３】
図はたとえば１００Ｖ１２Ｗの電球形蛍光ランプ装置Ｌで、図中、１はカバーで、このカバー１は基端側に口金７が取付けられる円筒状部１１を他端側にドーム状部２が形成してある。また、このドーム状部２内には蛍光ランプ３を支持するとともにこのランプ３の点灯回路部品４，…およびグローブ６が取付けられたホルダ５が配設されている。なお、このランプＬは、最大外径（グローブ６）が約６０ｍｍ、全長（グローブ６頂部から口金７のアイレット端子７３まで）が約１２７ｍｍである。
【００４４】
上記カバー１はＰＢＴ樹脂などの電気絶縁性の耐熱性合成樹脂材料で成形され、基端側の大小径の２段に形成された円筒状部１１は、小径部の外径が口金７のシェル７１の内径と略同径で、大径部１２は口金嵌挿部をなし外周にはＥ１７型の口金７のスカート部７２が嵌合状態で取付けられている。なお、７３はアイレット端子である。
【００４５】
そして、上記円筒状部１１に嵌合された口金７のスカート部７２は、正対（１８０度離れた）する外方からポンチングされて内方に押圧した凹所７４（一方のみ図示。）を形成することにより係止固定されている。また、このとき大径部１２側も凹んだ陥没部１３（一方のみ図示。）が形成される。なお、大径部１２に予め陥没部１３，１３を形成しておいて、この部位のスカート部７２を外方からポンチングするようにしてもよい。
【００４６】
また、上記蛍光ランプ３は、略Ｕ字形に屈曲したガラス管３１を３本（１．５本分のみ図示。）、連結管（図示しない。）を介し同一円周状に連結して１本の屈曲した放電路を形成したバルブ３２を有する。このバルブ３２の両端のガラス管３１の両端部にフィラメントコイルからなる電極（図示しない。）が設けられている。また、ガラス管バルブ３２の内面に蛍光体膜（図示しない。）が形成され内部に放電媒体として水銀およびアルゴンなどの希ガスが封入されている。
【００４７】
また、カバー１下方側（他端側）のドーム状部２の開口部内には、ＰＢＴ樹脂などの耐熱性合成樹脂材料で形成した棚状の円皿形をしたホルダ５が配設され、このホルダ５の下方の棚５１にはバルブ３２，…の遊貫孔が形成されている。
【００４８】
そして、上記遊貫孔内にはバルブ３２，…の端部が差し込まれ、シリコーン系などの熱硬化性接着剤を介して両者は接合固定されている。
【００４９】
また、点灯回路を構成する、たとえばトランジスタインバータを用いた高周波点灯用の回路部品４，…を実装した配線基板４１などが上記ホルダ５に係止してドーム状部２の内部に収容されている。この配線基板４１には上記蛍光ランプ３の外部リード線３３、３３が電気的に接続されている。また、回路部品４，…から導出した配線または外部リード線３３は、口金７のシェル７１トアイレット端子７３に接続されている。
【００５０】
また、６はグローブで、複数本のガラス管３１，…からなる蛍光ランプ３を覆うよう形成された一端が開口し先端部が半球状をなすとともに光拡散性を有するガラスや合成樹脂材料からなるなす型をなしている。このグローブ６は開口部６１を上記ホルダ５の円環状の外周に差込み、隙間にシリコーン系などの熱硬化性接着剤６２を充填して接合したり両者に形成した凹凸部（図示しない。）を嵌合することにより固定できる。
【００５１】
そして、上記カバー１とホルダ５とはつぎのような手段で固定されている。このホルダ５先端側５２の傾斜した外周面には円周状に連続して縦断面を三角形状に切欠した凹部Ａ１および所定の間隔を隔て断続して縦断面を三角形状に切欠した凹部Ａ２との２条の凹部Ａ１，Ａ２が形成してある。また、カバー１の傾斜した内周面には円周状に連続して縦断面を三角形状に突出した上記凹部Ａ１と対応する部位に凸部Ｂ１が、また、上記凹部Ａ２と対応した一つおきの部位に凸部Ｂ２が形成してある。
【００５２】
すなわち、上記凹部Ａ２の形成数に対し凸部Ｂ２は半数であって、たとえば図２（ａ）に係合部を上方または下方から見て横断した端面の説明図で、図に示すように上記凹部Ａ２，Ａ３の形成数８か所に対し凸部Ｂ２は４か所で、カバー１側またはホルダ５側を矢印方向に捩れば回動して凸部Ｂ２、…が隣接する空の凹部Ａ３に移動して両者が再び係合されよう構成してある。
【００５３】
そして、ホルダ５の先細で肉薄とした先端側５２をカバー１の開口部２１から傾斜した内周面に沿って侵入させると、ホルダ５の凹部Ａ１にカバー１の凸部Ｂ１が、また、凹部Ａ２に凸部Ｂ２が落ち込み、両者は凹凸により係合する。なお、このとき上記ホルダ５の凹部Ａ１またはＡ３とカバー１の凸部Ｂ１とは全周において係合していてランプＬ軸に対する回転は自在であるが、ランプＬ軸方向への分離を阻止している。また、図２（ａ）および図３（ａ）に示すように凹凸部Ａ１，Ａ２，Ａ３，Ｂ１，Ｂ２を三角形状にしておくと、上記侵入や捩込み方向への移動はし易いが、両者を引き離す反対方向への移動は角部が引き掛かってホルダ５が抜け出ることや回動を阻止できる。
【００５４】
このような構成とした電球形蛍光ランプ装置Ｌのソケット装置への装着は、通常の通りグローブ６を把持して口金７部を受金の螺旋溝へ捩込むことによって行われる。
【００５５】
これは、グローブ６を把持して捩込むと、グローブ６と接合したホルダ５、ホルダ５の凹部Ａ２とカバー１の凸部Ｂ２との係合部、カバー１の円筒状部１１の大径部１２と口金７のスカート部７２を介してシェル７１にトルクが加わり、正常の場合は、ソケット装置の受金に通電することにより口金７のシェル７１とアイレット７３に給電して蛍光ランプ３は点灯する。
【００５６】
そして、装着時上記の捩込みが強すぎ、予め設定しておいた（本発明者の実験では０．６Ｎｍ以上の）トルクが口金７に加わると口金７部の捩込みは止まり、上記ホルダ５の凹部Ａ２とカバー１の凸部Ｂ２との係合が外れ、上記ホルダ５が回転して凹部Ａ２ａが凸部Ｂ２と係合する。なお、このとき上記ホルダ５の凹部Ａ１とカバー１の凸部Ｂ１とは全周において係合していて、両者の分離を防止している。
【００５７】
このようにソケット装置への装着時に設定以上のトルクが加わると、ホルダ５を含むグローブ６側が空転（回動）して、受金が破損することを防止して電気的な安全をはかることができる。なお、上記過度のトルクが加わった場合のグローブ６側の空転角度は、点灯回路部品４．…などと口金７とを接続する配線などとの短絡を考慮すると４５度以内が好ましい。
【００５８】
また、図３（ｂ）〜（ｄ）は、カバー１とホルダ５との係合要部を縦断拡大した他の実施の形態を示す端面図で、図中、図３（ａ）と同一部分には同一の符号を付してその説明は省略する。図３（ｂ）は、凹部Ａ１、Ａ２および凸部Ｂ１、Ｂ２の形状が半球状の凹凸で係合が行われ、図３（ａ）と同様の作用効果を奏する。なお、図２（ｂ）は図３（ｂ）に対応する係合部を横断した端面の説明図で、この場合は凹部Ａ２，Ａ３の形成数４か所に対し凸部Ｂ２は２か所で、カバー１側またはホルダ５側を矢印方向に捩れば回動して凸部Ｂ２、…が隣接する凹部Ａ３に移動して両者がまた係合される。
【００５９】
図３（ｃ）および（ｄ）は、円周状に連続形成された凹部Ａ２と断続した凸部Ｂ２の各１本であって、たとえば凹部Ａ２，…の形成が凸部Ｂ２との係合部は深く、係合部間は浅くなど、凹部Ａ２の移動時に凹部Ａ２がガイドとして凸部Ｂ２から外れない構造としてあり、凹凸部の縦断面形状が（ｃ）図は三角形状形状を、（ｄ）図は半球状の場合を示している。なお、この半球状の場合は侵入方向の反対側は垂直面にしておくことにより、逆止とすることができる。
【００６０】
また、上記実施の形態では、蛍光ランプ３、点灯回路部品４およびグローブ６を接合や係合により支持したホルダ５の外側面とカバー１の内側面との間に係合用の凹凸部を形成したが、グローブ６の外側面とカバー１の内側面との間に係合用の凹凸部を形成してもよく、この場合は点灯回路部品４や蛍光ランプ３の配線を全く考慮しなくてもよいのでグローブ６の許容回動角度を大きくできる。
【００６１】
また、ホルダ５の外面側に凹部を、カバー１の内面側に凸部を形成したが、ホルダ５の外面側に凸部を、カバー１の内面側に凹部を形成してもよい。
【００６２】
また、点灯回路部品４をカバー１側に支持させて蛍光ランプ３およびグローブ６を支持したホルダ５とすることによっても、回動時の配線の移動を少なくできるので、電気的安全性を向上できる。
【００６３】
また、図４は本発明電球形蛍光ランプ装置の他の実施の形態を示す縦断面図で、図中、図１と同一部分には同一の符号を付してその説明は省略する。この蛍光ランプ装置Ｌ１は、カバー１が内側カバー１Ａと外側カバー１Ｂとの二重の構成であって、内側カバー１Ａには口金７が嵌合される円筒状部１１に連設して点灯回路部品４，…およびランプ３を支持するホルダ５が形成されている。この円筒状部１１とホルダ５とは一体成形されていても別体を一体化したものであってもよい。
【００６４】
また、外側カバー１Ｂの開口部２１には、グローブ６の開口部６１が凹凸による嵌合や接着剤を介して固定されている。そして、内側カバー１Ａと外側カバー１Ｂとの重合面に係合用の凹部Ａ２および凸部Ｂ２が形成してあって両者は固定されているとともにこの蛍光ランプ装置Ｌ１をソケット装置に装着する際に、応力が加わった場合（強い捩込み）には内側カバー１Ａと外側カバー１Ｂとの重合面において回動して、上記実施の形態と同様な作用効果を呈し、安全に対応することができる。
【００６５】
そして、この蛍光ランプ装置Ｌは、適宜の照明器具、使用目的や所望の発光特性に応じて使うことができる。
【００６６】
なお、本発明は上記実施の形態に記載したものに限定されない。たとえば、ランプや点灯回路部品を支持するホルダあるいはカバーの構成は、ランプの形状や組込む部品などに応じて種々変形してもよい。また、温度上昇が高いランプ装置では、カバーなどに放熱用の通気孔を形成しておいてもよい。
【００６７】
【発明の効果】本発明の請求項１および請求項２の記載によれば、Ｅ（捩込み）型の口金を有するランプをソケット装置の受金への装置時に、受金に過度のトルクを与えず把持したグローブ側が空転（回動）して、受金が損傷することを防止できる電球形蛍光ランプ装置を提供できる。
【００６８】
また、本発明に関わる電球形蛍光ランプ装置は、グローブ内部の蛍光ランプと口金との関係が一義的でなく回動することによって変化できるので、ソケット装置への装着時に指向性を調整できる利点を有する。
【００６９】
本発明の請求項３の記載によれば、把持したグローブ側を円滑に捩込むことができる電球形蛍光ランプ装置を提供できる。
【００７０】
本発明の請求項４の記載によれば、請求項１ないし３のいずれか一に記載の効果を奏する電球形蛍光ランプ装置を備えているので、ランプを受金に装着するに際し、過度のトルクが加わっても受金が破損する虞がない照明器具を提供することができる。
【図面の簡単な説明】
【図１】本発明の実施の形態の電球形蛍光ランプ装置を示す一部断面正面図である。
【図２】（ａ）図は図１における、また、（ｂ）図は図３（ｄ）におけるホルダとカバーとの係合部を説明するための要部の説明図である。
【図３】（ａ）図は図１におけるホルダとカバーとの係合要部を縦断拡大して示す端面図、（ｂ）〜（ｄ）図はホルダとカバーとの他の実施の形態の係合要部を縦断拡大して示す端面図である。
【図４】本発明の電球形蛍光ランプ装置の他の実施の形態を示す縦断面図である。
【符号の説明】Ｌ：電球形蛍光ランプ装置、    １：カバー、    １１：円筒状部、    ２：ドーム状部、    ３：蛍光ランプ、    ３１：ガラス管、    ３２：ガラス管バルブ、    ４：点灯回路部品、    ５：ホルダ、    ６：グローブ、    ７：口金、
【図１】
2005019307.tif 000003
【図２】
2005019307.tif 000004
【図３】
2005019307.tif 000005
【図４】
2005019307.tif 000006